(57)【要約】      （修正有）【課題】ユーザー側に手間をかけることなく、安全、簡単に多数のユーザー情報を収集する。【解決手段】携帯電話に操作履歴情報を自動的に一定時間毎に収集し、情報を送信する機能を設けることによって、アンケートで得られる情報と同等、若しくはそれ以上のユーザー情報を効率よく収集し、要求者（サーバー）へ送信する。サーバーは操作履歴情報を加工し、顧客毎に対応したデータを作成して提供する。【選択図】図１
2008242805.tif 000002
【特許請求の範囲】
【請求項１】
事前に設定された内容に基づいて、ユーザーの操作に関する操作履歴情報を自動的に収集して一定時間毎に送出する通信端末と、
前記操作履歴情報を加工し、顧客毎に対応したデータを作成して各々の顧客に提供するサーバーと
を含む
自動収集システム。
【請求項２】
請求項１に記載の自動収集システムであって、
前記通信端末は、前記操作履歴情報を前記サーバーに送信する時刻になれば前記ユーザーに通知し、送信される情報を確認できるように表示する
自動収集システム。
【請求項３】
請求項１又は２に記載の自動収集システムであって、
前記通信端末は、前記ユーザーが操作を行った時間及び位置における周囲の環境を示す環境情報を収集し、前記操作履歴情報に関連付ける
自動収集システム。
【請求項４】
請求項１乃至３のいずれか一項に記載の自動収集システムであって、
前記通信端末は、前記サーバーから前記各顧客の要求情報を受信し、前記要求情報に応じて事前設定を行う
自動収集システム。
【請求項５】
請求項１乃至４のいずれか一項に記載の自動収集システムであって、
前記サーバーは、前記操作履歴情報をユーザー毎に識別し、複数の操作履歴情報を互いに照合する
自動収集システム。
【請求項６】
請求項１乃至５のいずれか一項に記載の自動収集システムであって、
前記サーバーは、前記通信端末を介して前記ユーザーに、前記操作履歴情報に応じたサービスを提供する
自動収集システム。
【請求項７】
ユーザーの操作を受け付ける操作部と、
操作履歴情報の収集対象となるユーザーの操作を設定するための事前設定部と、
設定内容に基づいて、前記操作履歴情報を自動的に収集する操作履歴収集部と、
前記操作履歴情報を送信する時刻になれば前記ユーザーに通知し、送信される情報を確認できるように表示する表示部と、
前記操作履歴情報をサーバーに送信する通信部と
を具備する
通信端末。
【請求項８】
請求項７に記載の通信端末であって、
前記操作履歴情報として、前記ユーザーの取り消し操作に関する操作ミス履歴情報を自動的に収集する操作ミス履歴収集部
を更に具備する
通信端末。
【請求項９】
請求項７又は８に記載の通信端末であって、
前記ユーザーが操作を行った時間を示す時間情報を収集する時間情報収集部と、
前記ユーザーが操作を行った位置を示す位置情報を収集する位置情報収集部と、
前記時間情報及び前記位置情報に基づいて、前記ユーザーが操作を行った時間及び場所における周囲の環境を示す環境情報を収集する環境情報収集部と
を更に具備する
通信端末。
【請求項１０】
請求項７乃至９のいずれか一項に記載の通信端末であって、
前記操作履歴情報の送信前に、前記ユーザー及び自装置を示す識別情報を前記操作履歴情報に関連付けるユーザー識別情報管理部
を更に具備する
通信端末。
【請求項１１】
個々の端末から、各々の端末におけるユーザーの操作に関する操作履歴情報を一定時間毎に収集するデータ収集部と、
前記操作履歴情報を加工して顧客が所望するデータを作成するデータ加工部と、
前記顧客に前記作成されたデータを提供するデータ提供部と
を具備する
サーバー。
【請求項１２】
請求項１１に記載のサーバーであって、
収集された操作履歴情報同士を互いに照合して、複数のユーザー間の関係性、及び複数の操作履歴情報間の類似性を判定する履歴情報照合部
を更に具備する
サーバー。
【請求項１３】
請求項１１又は１２に記載のサーバーであって、
前記操作履歴情報を収集又は加工する際の基準となる前記顧客からの要求情報を設定するためのデータ選択設定部
を更に具備する
サーバー。
【請求項１４】
請求項１１乃至１３のいずれか一項に記載のサーバーであって、
同一ユーザーによる複数の端末の操作履歴情報を識別し統合するユーザー情報識別部
を更に具備する
サーバー。
【請求項１５】
操作履歴情報の収集対象となるユーザーの操作を設定するステップと、
設定内容に基づいて、前記操作履歴情報を自動的に収集するステップと、
前記操作履歴情報を送信する時刻になれば前記ユーザーに通知し、送信される情報を確認できるように表示するステップと、
前記操作履歴情報をサーバーに送信するステップと
を具備する
自動収集方法。
【請求項１６】
請求項１５に記載の自動収集方法であって、
前記操作履歴情報として、前記ユーザーの取り消し操作に関する操作ミス履歴情報を自動的に収集するステップ
を更に具備する
自動収集方法。
【請求項１７】
請求項１５又は１６に記載の自動収集方法であって、
前記ユーザーが操作を行った時間を示す時間情報を収集するステップと、
前記ユーザーが操作を行った位置を示す位置情報を収集するステップと、
前記時間情報及び前記位置情報に基づいて、前記ユーザーが操作を行った時間及び場所における周囲の環境を示す環境情報を収集するステップと
を更に具備する
自動収集方法。
【請求項１８】
請求項１５乃至１７のいずれか一項に記載の自動収集方法であって、
前記操作履歴情報の送信前に、前記ユーザー及び自装置を示す識別情報を前記操作履歴情報に関連付けるステップ
を更に具備する
自動収集方法。
【請求項１９】
個々の端末から、各々の端末におけるユーザーの操作に関する操作履歴情報を一定時間毎に収集するステップと、
前記操作履歴情報を加工して顧客が所望するデータを作成するステップと、
前記顧客に前記作成されたデータを提供するステップと
を具備する
自動収集方法。
【請求項２０】
請求項１９に記載の自動収集方法であって、
収集された操作履歴情報同士を互いに照合して、複数のユーザー間の関係性、及び複数の操作履歴情報間の類似性を判定するステップ
を更に具備する
自動収集方法。
【請求項２１】
請求項１９又は２０に記載の自動収集方法であって、
前記操作履歴情報を収集又は加工する際の基準となる前記顧客からの要求情報を設定するステップ
を更に具備する
自動収集方法。
【請求項２２】
請求項１９乃至２１のいずれか一項に記載の自動収集方法であって、
同一ユーザーによる複数の端末の操作履歴情報を識別し統合するステップ
を更に具備する
自動収集方法。
【請求項２３】
請求項１９乃至２２のいずれか一項に記載の自動収集方法を、コンピュータに実行させるためのプログラム。
【発明の詳細な説明】
【技術分野】
【０００１】
本発明は、自動収集システムに関し、特に携帯電話を使ったユーザー情報（操作履歴）の自動収集システムに関する。
【背景技術】
【０００２】
情報収集によってユーザーのニーズを把握しビジネスに活かすことは重要だが、希望の情報を収集することは容易ではない。
【０００３】
例えば、現状の情報収集方法として、「街頭アンケート」、「インターネットを使ったアンケート」、「情報収集会の開催」がある。しかし、これらの情報収集方法には、以下のような問題がある。
【０００４】
街頭アンケートでは、不正利用の懸念もあり、アンケートに答える人は少ない。また、アンケート回答に一定時間拘束される。更に、収集結果は紙ベースなので集計に手間がかかる
【０００５】
インターネットを使ったアンケートでは、対象者が限定される。すなわち、アンケートの回答者は、ＰＣ所有者やアンケートサイトへアクセスした者に限られる。また、アンケート回答に一定時間拘束される
【０００６】
情報収集会の開催では、情報収集会の開催の告知や、情報収集会の会場の確保が必要となり、手間、費用、時間がかかる。
【０００７】
また、特開２００４−０６２５８４号公報（特許文献１）にアンケートシステムが開示されている。
この従来技術では、返信メールに記載されているＵＲＬをクリックすると携帯電話機はアンケートサイトに接続され、携帯電話機によってアンケートの回答を入力すると、回答内容はアンケートサイトへ送信される。ＷＷＷサーバは、アンケート入力画面を携帯電話機へ供給するとともに、アンケート回答内容をアンケートデータベースに格納する。ＷＷＷサーバは、飲食代金無料や割引等の特典付与の抽選を行って抽選結果のメールを携帯電話機宛てに送信する。
【０００８】
また、特開２００４−１０４７３１号公報（特許文献２）に携帯端末装置が開示されている。
この従来技術では、通信制御部を介してメールや通話の送信や受信等の通信が行われると、ＣＰＵは、その通信状況を確認して通信記録部に通信記録情報を記憶する。この通信記録情報は、通話記録と着信履歴、発信履歴、メール送信履歴、メール受信履歴及び相手先電話帳情報等である。
【０００９】
また、特開２００５−３１１８１０号公報（特許文献３）にデジタル放送を用いた視聴履歴収集方法が開示されている。
この従来技術では、受信機動作判断部は、現在時刻が視聴履歴取得対象期間内の時刻であると判別したときには、視聴履歴情報受け渡しメモリに記憶されている視聴履歴の情報を、視聴履歴情報送信部を通じて、視聴履歴収集用コンテンツのＢＭＬ（Ｂｒｏａｄｃａｓｔ  Ｍａｒｋｕｐ  Ｌａｎｇｕａｇｅ）ページに記述されているＵＲＩにより指定される通信サーバに宛てて送出させるようにする
【００１０】
【特許文献１】特開２００４−０６２５８４号公報
【特許文献２】特開２００４−１０４７３１号公報
【特許文献３】特開２００５−３１１８１０号公報
【発明の開示】
【発明が解決しようとする課題】
【００１１】
携帯電話の普及率・多機能化・利用頻度を考えると、携帯電話の操作履歴からユーザーの嗜好を読み取ることが可能だと考えられる。
【００１２】
本発明の目的は、携帯電話の操作履歴情報を自動的に収集し送信する自動収集システムを提供することである。
【課題を解決するための手段】
【００１３】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１４】
本発明の自動収集システムは、事前に設定された内容に基づいて、ユーザーの操作に関する操作履歴情報を自動的に収集して一定時間毎に送出する通信端末（１０）と、操作履歴情報を加工し、顧客毎に対応したデータを作成して各々の顧客に提供するサーバー（２０）とを含む。
【００１５】
通信端末（１０）は、操作履歴情報をサーバー（２０）に送信する時刻になればユーザーに通知し、送信される情報を確認できるように表示する。
【００１６】
通信端末（１０）は、ユーザーが操作を行った時間及び位置における周囲の環境を示す環境情報を収集し、操作履歴情報に関連付ける。
【００１７】
通信端末（１０）は、サーバー（２０）から各顧客の要求情報を受信し、要求情報に応じて事前設定を行う。
【００１８】
サーバー（２０）は、操作履歴情報をユーザー毎に識別し、複数の操作履歴情報を互いに照合する。
【００１９】
サーバー（２０）は、通信端末（１０）を介してユーザーに、操作履歴情報に応じたサービスを提供する。
【００２０】
本発明の通信端末（１０）は、ユーザーの操作を受け付ける操作部（１１）と、操作履歴情報の収集対象となるユーザーの操作を設定するための事前設定部（１２１）と、設定内容に基づいて、操作履歴情報を自動的に収集する操作履歴収集部（１２２）と、操作履歴情報を送信する時刻になればユーザーに通知し、送信される情報を確認できるように表示する表示部（１３）と、操作履歴情報をサーバー（２０）に送信する通信部（１４）とを具備する。
【００２１】
本発明の通信端末（１０）は、操作履歴情報として、ユーザーの取り消し操作に関する操作ミス履歴情報を自動的に収集する操作ミス履歴収集部（１２３）を更に具備する。
【００２２】
本発明の通信端末（１０）は、ユーザーが操作を行った時間を示す時間情報を収集する時間情報収集部（１２４）と、ユーザーが操作を行った位置を示す位置情報を収集する位置情報収集部（１２５）と、時間情報及び位置情報に基づいて、ユーザーが操作を行った時間及び場所における周囲の環境を示す環境情報を収集する環境情報収集部（１２６）とを更に具備する。
【００２３】
本発明の通信端末（１０）は、操作履歴情報の送信前に、ユーザー及び自装置を示す識別情報を操作履歴情報に関連付けるユーザー識別情報管理部（１２７）を更に具備する。
【００２４】
本発明のサーバー（２０）は、個々の端末（１０）から、各々の端末（１０）におけるユーザーの操作に関する操作履歴情報を一定時間毎に収集するデータ収集部（２１）と、操作履歴情報を加工して顧客が所望するデータを作成するデータ加工部（２２）と、顧客に作成されたデータを提供するデータ提供部（２６）とを具備する。
【００２５】
本発明のサーバー（２０）は、収集された操作履歴情報同士を互いに照合して、複数のユーザー間の関係性、及び複数の操作履歴情報間の類似性を判定する履歴情報照合部（２３）を更に具備する。
【００２６】
本発明のサーバー（２０）は、操作履歴情報を収集又は加工する際の基準となる顧客からの要求情報を設定するためのデータ選択設定部（２４）を更に具備する。
【００２７】
本発明のサーバー（２０）は、同一ユーザーによる複数の端末（１０）の操作履歴情報を識別し統合するユーザー情報識別部（２５）を更に具備する。
【００２８】
本発明の自動収集方法は、操作履歴情報の収集対象となるユーザーの操作を設定するステップと、設定内容に基づいて、操作履歴情報を自動的に収集するステップと、操作履歴情報を送信する時刻になればユーザーに通知し、送信される情報を確認できるように表示するステップと、操作履歴情報をサーバー（２０）に送信するステップとを具備する。
【００２９】
本発明の自動収集方法は、操作履歴情報として、ユーザーの取り消し操作に関する操作ミス履歴情報を自動的に収集するステップを更に具備する。
【００３０】
本発明の自動収集方法は、ユーザーが操作を行った時間を示す時間情報を収集するステップと、ユーザーが操作を行った位置を示す位置情報を収集するステップと、時間情報及び位置情報に基づいて、ユーザーが操作を行った時間及び場所における周囲の環境を示す環境情報を収集するステップとを更に具備する。
【００３１】
本発明の自動収集方法は、操作履歴情報の送信前に、ユーザー及び自装置を示す識別情報を操作履歴情報に関連付けるステップを更に具備する。
【００３２】
本発明の他の自動収集方法は、個々の端末（１０）から、各々の端末（１０）におけるユーザーの操作に関する操作履歴情報を一定時間毎に収集するステップと、操作履歴情報を加工して顧客が所望するデータを作成するステップと、顧客に作成されたデータを提供するステップとを具備する。
【００３３】
本発明の他の自動収集方法は、収集された操作履歴情報同士を互いに照合して、複数のユーザー間の関係性、及び複数の操作履歴情報間の類似性を判定するステップを更に具備する。
【００３４】
本発明の他の自動収集方法は、操作履歴情報を収集又は加工する際の基準となる顧客からの要求情報を設定するステップを更に具備する。
【００３５】
本発明の他の自動収集方法は、同一ユーザーによる複数の端末（１０）の操作履歴情報を識別し統合するステップを更に具備する。
【００３６】
本発明のプログラムは、上記のいずれかの自動収集方法をコンピュータに実行させる。
【発明の効果】
【００３７】
携帯電話の所有者は非常に多いため、片寄った情報ではなく幅広い世代の情報を収集できる。また、情報収集及び送信は自動的に送られるため、アンケートに答えるという手間がかからない。更に、アンケートに能動的に回答するよりもより自然で正確な情報が得られる可能性がある。また、情報収集側のデータ収集が容易であるため、効率よく簡単にデータを収集することができる。また、電子データなので集計しやすい。
【発明を実施するための最良の形態】
【００３８】
本発明では、携帯電話に操作履歴の自動収集及び情報送信機能を設ける。これにより、手間や時間的拘束なく、効率よく情報の授受ができるようになる上、情報提供の対象者が広がることにより情報の精度が高くなると考えられる。
【００３９】
以下に、本発明の第１実施形態について添付図面を参照して説明する。
図１に示すように、本発明の自動収集システムは、携帯端末１０と、サーバー２０を備える。
【００４０】
携帯端末１０（１０−ｉ、ｉ＝１〜ｎ：ｎは端末数）は、ユーザーによる自装置の操作履歴情報を自動的に収集し、サーバー２０に送信する。ここでは、収集された操作履歴情報を、一定時間毎にサーバー２０に送信する。ここでは、例として、収集情報の送信タイミングは１日１回程度とする。ある程度まとまったデータを収集する必要があり、また、１日単位ならばデータの区切りとして適当であると考えられるためである。但し、実際には、上記の例に限定されない。なお、携帯端末１０の例として、携帯電話、ＰＤＡ（Ｐｅｒｓｏｎａｌ  Ｄｉｇｉｔａｌ  Ａｓｓｉｓｔａｎｔｓ）、小型ノートパソコン、デジタルカメラ、携帯型ゲーム機、携帯型音楽プレーヤー等が考えられる。ここでは、携帯電話を例に説明する。携帯電話は最も利用者が多く、代表的な例と考えられるためである。
【００４１】
サーバー２０は、携帯端末１０が収集した操作履歴情報を受信する。サーバー２０は、収集した操作履歴情報を加工し、有用な情報を作成又は抽出して、この有用な情報を所望する顧客に提供する。ここでは、サーバー２０は、携帯端末１０の操作履歴情報を所望する事業者により運営されるものとする。
【００４２】
操作履歴情報の収集対象となる操作の例としては、アプリケーション操作、キー操作、端末自体の操作が考えられる。アプリケーション操作は、携帯端末１０のアプリケーション（機能、プログラム等）に対する操作を示す。すなわち、ソフトウェア上の操作を示す。キー操作は、携帯端末１０の入力装置（キー、トラックボール等）に対する操作を示す。すなわち、ハードウェア上の操作を示す。端末自体の操作には、筐体の開閉、筐体の移動、筐体の傾き、非接触電力伝送による料金支払（決済）が含まれる。
【００４３】
次に、図２を参照して、本発明の自動収集システムの基本動作について説明する。
（１）ステップＳ１０１
携帯端末１０のユーザーは情報を提供しても良いという項目を事前に選択し、設定しておく。事前の設定で収集を許可した項目に対して自動的に情報が収集されるようになる。例えば、図３に示すように、携帯端末１０の表示画面に、収集項目を選択可能に表示する。ここでは、ウェブ（Ｗｅｂ）に関する「アクセス時間」と「アクセス先」が表示され、「アクセス時間」が選択されている。この場合、操作履歴情報のうち「アクセス時間」に関する情報を自動的に収集し、「アクセス先」に関する情報は収集しない。このように、ユーザーにより収集する項目を設定可とするのは、個人情報保護対策である。
（２）ステップＳ１０２
携帯端末１０のユーザーは普通に携帯端末１０を使用する。携帯端末１０は、事前の設定で収集を許可された項目に対して自動的に情報を収集する。例えば、図４に示すように、８：００にメール利用した場合、収集データにメール利用に関するデータが追加される。ここでは、アクセス時間である「８：００」が記録される。１２：３０にＷｅｂ利用した場合、収集データにＷｅｂ利用に関するデータが追加される。ここでは、アクセス時間である「１２：３０」が記録される。１９：００に地デジ（地上デジタル放送）利用した場合、収集データに地デジ利用に関するデータが追加される。ここでは、アクセス時間である「１９：００」が記録される。
（３）ステップＳ１０３
携帯端末１０は、収集情報を送信する時刻になったらアラームや画面表示などでユーザーに知らせる。例えば、図５に示すように、自動送信時刻になったらユーザーにアラームとうで知らせる。このとき、表示画面に送信予定の情報を表示し、送信情報を事前に確認できるようにする。送信予定の情報は、事前に設定され、自動的に収集された操作履歴情報である。ユーザーが送信予定の情報を確認し、送信を承諾した場合に、送信予定の情報は送信される。このように、サーバー側に送信する前にユーザー側で送信情報の内容を確認できるようにするのは、個人情報保護対策である。
（４）ステップＳ１０４
ユーザーは収集された情報を確認し、問題がなければ事業者のサーバー２０に送信する。なお、操作履歴情報のみ送信する独自の動作を行うのはユーザーの負担になる場合があるため、他のデータを送信する際に、操作履歴情報を同時に送信するようにしても良い。例えば、Ｗｅｂサイトの閲覧や電子メールの送信、その他のネットワーク接続の際に、同時に、又は連続して、操作履歴情報をサーバー２０に送信する。これにより、ユーザーが特に意識することなく、操作履歴情報を送信することが可能になる。
（５）ステップＳ１０５
データを収集した事業者はデータを加工し、データを必要とする他の事業者に提供する。すなわち、サーバー２０に集められた操作履歴情報を加工、編集し、有用な情報を抽出する。例えば、図６に示すように、サーバー２０に集められた操作履歴情報から、様々なデータを作成し、各々のデータを所望する顧客に提供する。このとき、顧客に合わせてデータを作成するようにしても良い。ここでは、データＡをＡ社に提供し、データＢをＢ社に提供し、データＣをＣ社に提供している。
【００４４】
次に、図７を参照して、送信情報の例について説明する。
送信情報は、携帯端末１０からサーバー２０に送信される情報である。すなわち、送信履歴情報を示す。この送信情報は、送信前に、送信予定の情報として携帯端末１０に表示されるようにしても良い。この場合、この送信情報のうちから、実際に送信する項目を選択する。
【００４５】
送信情報は、「発信者情報」と「操作履歴情報」を含む。
【００４６】
「発信者情報」は、発信者（ユーザー）の属性情報である。ここでは、「発信者情報」の例として、「年齢」と「性別」を示す。但し、実際には、これらの例に限定されない。「年齢」は、発信者（ユーザー）の年齢を示す情報である。具体的な年齢に限らず、世代を示す情報でも良い。例えば、１０代、２０代でも良い。「性別」は、発信者（ユーザー）の性別を示す情報である。すなわち、男性、女性の別が示される。他にも、職業、居住地域、勤務地、趣味といった情報を追加することも可能である。また、携帯電話以外の携帯端末を使用する場合に対応して、発信者（ユーザー）が使用する携帯端末の情報を含むようにしても良い。
【００４７】
「操作履歴情報」は、発信者（ユーザー）による携帯端末１０の操作履歴情報である。ここでは、「操作履歴情報」の例として、「通話」「メール」「ウェブ」「アプリ」「地デジ」を示す。但し、実際には、これらの例に限定されない。
【００４８】
「通話」は、電話の操作を示す情報である。但し、実際には、電話に限らず、通話が行える機能であれば良い。例えば、Ｐｕｓｈ−ｔｏ−Ｔａｌｋ（ＰＴＴ）や、トランシーバ機能でも良い。ここでは、「通話」は、「発信時間」「着信時間」等を含む。「発信時間」は、電話をかけた時間を示す情報である。「着信時間」は、電話を受けた時間を示す情報である。また、通話の相手に関する情報を記録するようにしても良い。相手の属性情報（家族、同僚、友人、恋人等）と組み合わせれば、どのような相手とどのくらいの頻度で通話しているかを把握することが可能になる。相手の属性情報は、発信者（ユーザー）の入力により取得する。或いは、電話帳機能を用いて通話を行った場合、通話相手の属するグループの情報を取得する。
【００４９】
「メール」は、電子メールの操作を示す情報である。但し、実際には、電子メールに限らず、データ転送が行える機能であれば良い。例えば、ショートメッセージサービス（ＳＭＳ）や、赤外線通信によるデータの送受信でも良い。ここでは、「メール」は、「送信時間」「受信時間」「添付の有無及びサイズ」等を含む。「送信時間」は、電子メールを送信した時間を示す情報である。「受信時間」は、電子メールを受信した時間を示す情報である。「添付の有無及びサイズ」は、電子メールの添付ファイルの有無や、電子メール又は添付ファイルのサイズを示す情報である。また、「通話」の場合と同様に、電子メールをやり取りする相手に関する情報を記録するようにしても良い。
【００５０】
「ウェブ」は、インターネット接続機能の操作を示す情報である。例えば、Ｗｅｂサイトの閲覧や、ファイルのダウンロード等が考えられる。ここでは、「ウェブ」は、「アクセス時間」「アクセス先（ＵＲＬ）」等を含む。「アクセス時間」は、インターネット接続を開始した時間や、インターネット接続を終了するまでの接続時間を示す情報である。
「アクセス先（ＵＲＬ）」は、インターネット接続の対象（相手）を示す情報である。
【００５１】
「アプリ」は、携帯端末１０で利用可能なアプリケーションに対する操作を示す情報である。アプリケーションは、携帯端末１０自体に搭載されたものに限らず、アプリケーションサーバー上で動作しインターネットを介して操作するものを含む。ここでは、「アプリ」は、「利用時間」「利用アプリ情報」等を含む。「利用時間」は、アプリケーションの利用時間を示す情報である。「利用アプリ情報」は、利用されたアプリケーションの情報を示す情報である。例えば、アプリケーションの識別情報、提供元、種類（ゲーム、占い）、ジャンル／カテゴリー（パズル、星座占い）等を示す情報が考えられる。
【００５２】
「地デジ」は、地上デジタル放送を受信し視聴するための操作を示す情報である。但し、実際には、地上デジタル放送に限らず、デジタル放送の受信及び視聴が行える機能であれば良い。例えば、衛星放送やストリーミング等でも良い。ここでは、「地デジ」は、「利用時間」「利用番組」等を含む。「利用時間」は、地上デジタル放送の受信及び視聴を開始した時間や、地上デジタル放送の視聴を終了するまでの視聴時間を示す情報である。「利用番組」は、受信又は視聴した地上デジタル放送の番組に関する情報である。例えば、番組の識別情報、放送時間、放送局、提供元、ジャンル／カテゴリー等を示す情報が考えられる。
【００５３】
なお、操作履歴情報は、実際に操作した日時（操作日時）の他、操作回数や操作頻度と関連付けて記録するようにしても良い。例えば、携帯電話の場合、個々のユーザーの操作履歴情報を取得することで、電話や電子メール以外にどのような操作が頻繁に行われているか把握することが可能になる。更に、個々の操作が、どの時間帯に多く実行されるか把握することが可能になる。
【００５４】
また、操作回数や操作頻度に基づく操作の優先順位と関連付けて記録するようにしても良い。例えば、操作回数が多い操作ほど優先順位を高く設定し、優先順位の高い操作の操作履歴情報を優先して収集する。また、通信が行われた場合、通信相手の履歴を操作履歴情報に含めるようにしても良い。
【００５５】
また、位置情報システムと連携することで、個々の操作を行った際の携帯端末１０の所在位置を特定することが考えられる。位置情報システムの主な例として、ＧＰＳ（Ｇｌｏｂａｌ  Ｐｏｓｉｔｉｏｎｉｎｇ  Ｓｙｓｔｅｍ）がある．但し、実際には、ＧＰＳに限定されない。この場合、操作履歴情報に位置情報を関連付けて記録する。これにより、どこで使用したかを把握することが可能になる。例えば、施設内（店舗、公共施設）での操作や、路上での操作のように、操作が行われた場所を把握できるのみならず、どの場所でどのような操作が頻繁に行われているかも把握できるようになる。操作日時の情報と組み合わせれば、更に詳細なデータを収集することが可能になる。
【００５６】
ここで、位置情報と時間情報を組み合わせれば、携帯端末１０の移動を検出することが可能になる。更に、移動速度や地図上の路線情報を参照すると、携帯端末１０が車や電車の中で操作されたことを把握できるようになる。
【００５７】
更に、携帯端末１０の所在する位置と時間が判明すれば、環境と操作履歴の因果関係について調査することが可能になる。例えば、一般に提供されている気象情報を参照して、操作が行われた場所や時間帯の天候／気温／季節と、操作履歴との因果関係を調べることが可能になる。或いは、ニュース等の情報を参照して、その場所や時間帯に携帯端末１０の近くで発生した事件／事故／イベント等と、操作履歴との因果関係を調べることが可能になる。
【００５８】
なお、上記のような環境に関する情報は、携帯端末１０自体が収集するようにしても良い。例えば、操作時、又はその操作の前後に、携帯端末１０が備える温度センサーや衝撃検知センサー等で観測したり、携帯端末１０の録音／撮影機能を自動的に起動したりすることで、周囲の環境情報を自動的に収集することが考えられる。また、その操作の前後に行われた通話内容、送信された電子メールの内容、又はアクセスしたＷｅｂサイトの内容等を分析することで、周囲の状況を判断することも考えられる。この場合、個人情報保護の観点から、通話やメール等の内容そのものを記録するのではなく、通話やメール等の内容に基づいて、周囲の状況を事件／事故／イベント等に分類し、その分類内容を当該操作と関連付けて操作履歴情報に記録することが好適である。
【００５９】
以下に、本発明の第２実施形態について説明する。
操作が行われた場合に限らず、操作に失敗した場合の履歴を収集することも有用である。本実施形態では、操作ミスの履歴情報を収集する。すなわち、取り消し操作の履歴情報を収集する。取り消し操作とは、その前に行った操作の取り消しや訂正を行うことである。例えば、どのアプリケーションにおいて取り消し操作が多発しているか、どの時間帯／場所／状況で多発しているか等の情報を収集し、その因果関係を分析する。ユーザーの年齢や性別、通信相手との因果関係を分析しても良い。また、この取り消し操作の履歴情報と、先に説明した環境に関する情報を組み合わせて、因果関係を分析することも考えられる。操作ミス発生要因の分析により、使いやすい装置やサービスの提供に繋げる。
【００６０】
以下に、本発明の第３実施形態について説明する。
本実施形態では、操作履歴情報に基づき、連続した操作における操作間隔や、操作に要する時間について注目する。また、どのようなアプリケーションが連続して操作されるかについても調べる。例えば、あるアプリケーションが操作された後、次にどのようなアプリケーションが最も良く操作されるのかを調査する。また、個々の操作にどれだけの時間を要しているか、前の操作終了から次の操作開始までどれだけの時間を要しているかについても調査する。これらの情報と他の情報を組み合わせて、短時間での操作を可能にする要因について調査する。
【００６１】
以下に、本発明の第４実施形態について説明する。
特定のアプリケーション中の操作に関する操作履歴に注目し、その操作履歴のみを収集することが考えられる。例えば、特定のＷｅｂサイトやゲーム等における操作のみ操作履歴を収集し、どのような操作が頻繁に行われているかを調べることで、Ｗｅｂデザインの改良、ユーザーが使いやすいインターフェース（ｉｎｔｅｒｆａｃｅ）の開発、更なるサービスの提供等に役立てることができる。この場合、特定のアプリケーションの利用を開始した時点から操作履歴情報の収集を開始し、アプリケーション終了と同時に操作履歴情報の収集も終了する。すなわち、特定のＷｅｂサイトにアクセスしている間や、特定のゲームを起動している間のみ操作履歴情報を収集する。
【００６２】
以下に、本発明の第５実施形態について説明する。
本実施形態では、ユーザー同士の操作履歴を照合し、ユーザー同士の関係を判定する。例えば、通信の操作を行った際に互いに通信相手であったり、近隣で同一アプリケーションの操作を行っている場合は互いに関係のある者（友人同士等）であると推測できる。
【００６３】
以下に、本発明の第６実施形態について説明する。
本実施形態では、ユーザー同士の操作履歴情報を照合し、類似した操作履歴情報のユーザー達をグループ化し、集団としての操作履歴情報を分析する。類似した操作履歴情報を持つユーザー達の人数を把握したり、類似した操作を行った要因を分析したりすることが考えられる。また、ユーザー自身の操作履歴情報や、類似した操作履歴情報を持つユーザー達の操作履歴情報から、その集団に属するユーザーの次の操作の予測が容易になる。
【００６４】
以下に、本発明の第７実施形態について説明する。
操作履歴情報の提供を促進するため、見返りや対価としてサービスや商品を提供することが考えられる。例えば、操作履歴情報に基づいて行動分析や占いを行う。或いは、操作履歴情報を参照して特定の操作を行ったユーザーを対象にしたくじや抽選を行い、粗品、景品、記念品等を提供する。ここでは、連続して所定の操作を行ったユーザーや、所定の時間に所定の操作を行ったユーザーを当選とする。くじや抽選としたのは、全てのユーザーに商品を提供するのは費用的な負担が大きいと考えられるためであり、また、ユーザーに娯楽を提供するという目的もある。
【００６５】
以下に、本発明の第８実施形態について説明する。
本実施形態では、事業者又はサーバー２０に対して操作履歴情報の加工データの需要者（顧客）から問い合わせがあったときに、必要な情報を抽出するようにする。すなわち、需要者が自分で所望する情報を操作履歴情報から抽出できるようにする。需要者の所望する操作履歴のみを収集し、不要な操作履歴は収集しない。例えば、サーバー２０が、事前に需要者から収集を所望する操作履歴情報に関する要求情報を取得し、携帯端末１０に、この要求情報に応じた操作履歴情報の提供を要求する。或いは、サーバー２０が、無作為に収集された操作履歴情報の中から、この要求情報に応じた情報を抽出する。
【００６６】
以下に、本発明の第９実施形態について説明する。
実際には、同一ユーザーが複数の端末を操作する場合が考えられる。本実施形態では、複数の端末における操作履歴情報を、同一ユーザーの操作履歴情報として統合する。例えば、個々のユーザーを識別するためのユーザーＩＤ（識別情報）を設定し、操作履歴情報にユーザーＩＤを追加し、ユーザーＩＤで同一ユーザーを識別する。また、端末を識別するために、電話番号、メールアドレス、携帯端末の識別情報等の個別ＩＤを操作履歴情報に追加することも考えられる。
【００６７】
次に、図８を参照して、携帯端末１０の構成について説明する。
携帯端末１０は、操作部１１と、処理部１２と、表示部１３と、通信部１４を備える。
【００６８】
操作部１１は、ユーザーによる操作が行われる入力装置、操作を受け付けるアプリケーション等を示す。端末自体の操作を認識する場合は、携帯端末１０の筐体（本体）も含む。処理部１２は、実際に行われた操作に基づいて様々な処理を実行する。また、その操作履歴情報を収集し保持する。表示部１３は、アプリケーションや受信データ、ユーザーによる操作、携帯端末１０のシステム動作に基づく表示画面を表示する。通信部１４は、操作履歴情報、操作ミス履歴情報、その他必要な情報をサーバー２０に送信する。ここでは、一定期間毎にサーバー２０に送信する。
【００６９】
なお、処理部１２は、事前設定部１２１と、操作履歴収集部１２２と、操作ミス履歴収集部１２３と、時間情報収集部１２４と、位置情報収集部１２５と、環境情報収集部１２６と、ユーザー識別情報管理部１２７を備える。
【００７０】
事前設定部１２１は、操作履歴情報の収集に関する事前設定の入力を受け付け、事前設定情報として保持する。必要であれば、事前設定のための表示画面データを表示部１３やサーバー２０側の表示装置等に提供する。操作履歴収集部１２２は、操作部１１に対して行われた操作の履歴情報を収集し、操作履歴情報として保持する。操作ミス履歴収集部１２３は、取り消し操作の履歴情報を収集し、操作ミス履歴情報として保持する。時間情報収集部１２４は、操作が行われた時間や、データの分析や調査に必要な時間を示す情報を収集し、操作履歴情報や操作ミス履歴情報に関連付けて保持する。また、サーバー２０へ送信履歴情報を送信する時刻を監視し、その時刻になればユーザーに通知する。位置情報収集部１２５は、携帯端末１０の位置情報を、操作履歴情報や操作ミス履歴情報に関連付けて保持する。環境情報収集部１２６は、操作時にユーザーや携帯端末１０の置かれた環境に関する情報を、操作履歴情報や操作ミス履歴情報に関連付けて保持する。ユーザー識別情報管理部１２７は、ユーザーを識別するための個別ＩＤ（識別情報）を管理し、必要に応じて、操作履歴情報や操作ミス履歴情報に追加する。
【００７１】
次に、図９を参照して、サーバー２０の構成について説明する。
サーバー２０は、データ収集部２１と、データ加工部２２と、履歴情報照合部２３と、データ選択設定部２４と、ユーザー情報識別部２５と、データ提供部２６を備える。
【００７２】
データ収集部２１は、個々のユーザーの端末から操作履歴情報を取得する。また、操作履歴情報に含まれる時間情報や位置情報に基づいて、操作時にユーザーや携帯端末１０の置かれた環境に関する情報を収集するようにしても良い。データ加工部２２は、操作履歴情報を加工、編集する。或いは、操作履歴情報から所望するデータを抽出する。履歴情報照合部２３は、複数の操作履歴情報を照合して、ユーザー同士の関係や、操作履歴情報同士の類似性を判定する。データ選択設定部２４は、需要者（顧客）が所望するデータ（要求情報）を設定し、データ収集部２１、データ加工部２２又は個々のユーザーの端末に通知する。ここで設定された内容に基づいて、操作履歴情報の収集や加工が行われる。ユーザー情報識別部２５は、ユーザーを識別するための個別ＩＤを参照し、同一ユーザーによる複数の端末の操作履歴情報を識別し統合する。データ提供部２６は、操作履歴情報を加工、編集したデータを需要者（顧客）に提供する。また、必要に応じて、操作履歴情報を収集した個々のユーザーの端末に対して実施されるサービスのデータを提供する。
【００７３】
本発明は、ユーザー情報からユーザーのニーズを把握しビジネスに活かす事業者にとって有益である。携帯電話関連の事業者としては、携帯端末メーカー、通信事業者、コンテンツ事業者が考えられる。携帯電話以外の他の事業者としては、出版業界、ゲーム業界、コンサルティング業界、マーケティング業界、広告業界などが考えられる。
【００７４】
以上のように、本発明では、携帯電話からアンケートサイトへアクセスするための操作を自動化することで、来店者のアンケートの回答率を向上させる。具体的には、携帯電話に操作履歴の自動収集及び情報送信機能を設けることによって、アンケートで得られる情報と同等（もしくは以上）のユーザー情報を効率よく収集し、要求者（サーバー）へ送信する。
【００７５】
これにより、ユーザー側は、手間をかけることなく情報（提供可のもの）を安全に送信できる。ユーザーは情報を提供することによって利益を得ることも可能である。また、情報収集側は、簡単に多数のユーザー情報の収集ができる。
【００７６】
更に、個人情報保護対策として、ユーザーにより収集する項目を設定可能とする。また、サーバー側に送信する前にユーザー側で送信情報の内容を確認できるようにする。
【００７７】
なお、本発明の自動収集システムは、一旦システムを構築すれば終わりというものではなく、携帯電話等の多機能化に伴い、収集可能な情報も増え、情報のニーズは今後ますます増えることが予想されるため、システムの継続的な向上を図ることが好適である。
【００７８】
また、ここでは、携帯電話を始めとする携帯端末を例に説明しているが、実際には、携帯端末に限定されない。操作履歴の自動収集及び情報送信が可能な通信装置であれば、本発明の実施は可能である。例えば、パソコン、テレビ、録画装置、ゲーム機、ＦＡＸ、コピー機、固定電話機、ＩＰ電話、インターホン、インターネット対応の家電（デジタル家電）等が考えられる。携帯端末に加えて、これらの装置からも情報を自動収集するようにしても良い。対象となる装置が多ければ多いほど、より多くの情報を収集できるため好適である。
【００７９】
上記のように、複数の装置を対象とする場合、これらの装置を操作する者が同一ユーザーであることがわかるように、ユーザー固有の個別ＩＤを用いることがより好適である。但し、個別ＩＤは、他ユーザーとの識別ができれば十分であり、実在の個人を特定する情報である必要はない。１人のユーザーが日常的に使用する装置、及び当該装置の使用時間、使用頻度等がわかれば、ユーザーの識別や分類を細分化することが可能になり、更なるサービスの提供に繋がると考えられる。
【図面の簡単な説明】
【００８０】
【図１】図１は、本発明の自動収集システムの構成を示す概念図である。
【図２】図２は、自動収集システムの基本動作を示すフローチャートである。
【図３】図３は、事前設定の例を説明するための図である。
【図４】図４は、操作履歴情報の自動収集の例を説明するための図である。
【図５】図５は、操作履歴情報の送信の例を説明するための図である。
【図６】図６は、操作履歴情報の加工の例を説明するための図である。
【図７】図７は、送信情報（操作履歴情報）の例を説明するための図である。
【図８】図８は、本発明に係る携帯端末（通信端末）の構成を示すブロック図である。
【図９】図９は、本発明に係るサーバーの構成を示すブロック図である。
【符号の説明】
【００８１】
１０…  携帯端末
１１…  操作部
１２…  処理部
１２１…  事前設定部
１２２…  操作履歴収集部
１２３…  操作ミス履歴収集部
１２４…  時間情報収集部
１２５…  位置情報収集部
１２６…  環境情報収集部
１２７…  ユーザー識別情報管理部
１３…  表示部
１４…  通信部
２０…  サーバー
２１…  データ収集部
２２…  データ加工部
２３…  履歴情報照合部
２４…  データ選択設定部
２５…  ユーザー情報識別部
２６…  データ提供部
【図１】
2008242805.tif 000003
【図２】
2008242805.tif 000004
【図３】
2008242805.tif 000005
【図４】
2008242805.tif 000006
【図５】
2008242805.tif 000007
【図６】
2008242805.tif 000008
【図７】
2008242805.tif 000009
【図８】
2008242805.tif 000010
【図９】
2008242805.tif 000011